(57)【要約】      （修正有）【課題】ペン先没入操作が容易で操作性を損なうことなく、外装体を細身にでき、外観デザインの自由度が高い出没式筆記具を提供する。【解決手段】外装体１は、ペン先突出係止部とペン先没入係止部に凸部を案内するための案内路を有し、筆記具本体は、前後動によって、凸部７ａが前記ペン先突出係止部に係合して外装体先端の開口部よりペン先３が突出した突出状態と、凸部がペン先没入係止部に係合してペン先が外装体内に没入した没入状態との間で切替可能に構成され、凸部を外装体の周方向に案内する周方向案内傾斜壁と、凸部を外装体の径方向に案内する径方向案内傾斜壁とを、それぞれ、案内孔内を移動する凸部に接触可能に設け、径方向案内傾斜壁の側壁を、周方向傾斜壁によって案内される凸部の周方向への移動量を規制するための移動規制部とする。【選択図】図１
2018171921.tif 000002
【特許請求の範囲】
【請求項１】
外装体と、前後動可能に前記外装体内に収容されるとともに、先端に設けられたペン先、および、側部に設けられた凸部を有する筆記具本体と、を備え、前記外装体は、ペン先突出係止部とペン先没入係止部に前記凸部を案内するための案内路を有し、前記筆記具本体は、前後動によって、前記凸部が前記ペン先突出係止部に係合して前記外装体先端の開口部より前記ペン先が突出した突出状態と、前記凸部が前記ペン先没入係止部に係合して前記ペン先が前記外装体内に没入した没入状態との間で切替可能に構成され、前記凸部を外装体の周方向に案内する周方向案内傾斜壁と、前記凸部を外装体の径方向に案内する径方向案内傾斜壁とを、それぞれ、前記案内孔内を移動する前記凸部に接触可能に設け、前記径方向案内傾斜壁の側壁を、前記周方向傾斜壁によって案内される前記凸部の前記周方向への移動量を規制するための移動規制部とした出没式筆記具。
【請求項２】
前記案内路における、前記凸部が前記ペン先没入係止部から前記ペン先突出係止部に至る道のりの最前進位置を形成する壁部よりも、前記凸部が前記ペン先突出係止部から前記ペン先没入係止部に至る道のりの最前進位置を形成する壁部が後方に配置した請求項１に記載の出没式筆記具。
【発明の詳細な説明】
【技術分野】
【０００１】
本発明は、外装体内に収容する、先端にペン先を備えた筆記具本体を、操作によって前後動させ、筆記具本体の側部に配置した凸部を、外装体に形成した案内路によってペン先突出係止部とペン先没入係止部に案内して、外装体先端の開口部よりペン先の突出状態と没入状態とをそれぞれ形成する出没式筆記具に関する。
【背景技術】
【０００２】
従来、操作によって外装体の先端よりペン先を出没させてなる出没式筆記具として、カム機構を利用したものが知られている。例えば、外装体内にてコイルスプリング等の弾撥部材にて後方付勢された筆記具本体を、弾撥部材の弾撥力に抗してノック操作などで前進させ、外装体に形成した溝などの案内路に筆記具本体が有する凸部等を案内して、ペン先の突出状態、没入状態のそれぞれを形成できるようにしたような、所謂ハートカム機構と呼ばれている繰り出し機構を用いたものが、ノックなどの操作のみで、ペン先の出没係止を操作でき、操作性に優れたものとして知られている。
【０００３】
例えば、特開平１１−３２１１８２号公報（特許文献１）に記載の出没式筆記具では、筆記具本体の側部に配置された凸部（係止部２６ａ）が、外装体に設けられた案内路内を移動し、案内路内に設けられたペン先の突出状態を形成する係止凹部と、没入係止状態を形成する最後端位置へ、それぞれ係止することによって、ペン先の外装体からの出没を可能とする出没式筆記具が記載されている。
【先行技術文献】
【特許文献】
【０００４】
【特許文献１】特開平１１−３２１１８２号公報
【発明の概要】
【発明が解決しようとする課題】
【０００５】
しかし、特許文献１に記載の出没式筆記具では、係止解除の際に、凸部（係止部２６ａ）が、係止受部（２８ｂ）を避けて通るため、その分周方向に案内路の幅が必要となって外装体の外径を大きくする必要があり、デザインが制限されるものであった。
【０００６】
本発明は、ペン先没入操作が容易で操作性を損なうことなく、外装体を細身にでき、外観デザインの自由度が高い出没式筆記具を提供することを目的とする。
【課題を解決するための手段】
【０００７】
本発明は、外装体と、前後動可能に前記外装体内に収容されるとともに、先端に設けられたペン先、および、側部に設けられた凸部を有する筆記具本体と、を備え、前記外装体は、ペン先突出係止部とペン先没入係止部に前記凸部を案内するための案内路を有し、前記筆記具本体は、前後動によって、前記凸部が前記ペン先突出係止部に係合して前記外装体先端の開口部より前記ペン先が突出した突出状態と、前記凸部が前記ペン先没入係止部に係合して前記ペン先が前記外装体内に没入した没入状態との間で切替可能に構成され、前記凸部を外装体の周方向に案内する周方向案内傾斜壁と、前記凸部を外装体の径方向に案内する径方向案内傾斜壁とを、それぞれ、前記案内孔内を移動する前記凸部に接触可能に設け、前記径方向案内傾斜壁の側壁を、前記周方向傾斜壁によって案内される前記凸部の前記周方向への移動量を規制するための移動規制部とした出没式筆記具を要旨とする。
【発明の効果】
【０００８】
本発明の出没式筆記具は、外装体に形成した案内路内に、凸部を、外装体の周方向に案内する傾斜壁と、凸部を、外装体の径方向に案内する傾斜壁とを形成し、径方向に案内する傾斜壁の側壁を、周方向に案内する傾斜壁の周方向の移動規制部とし、凸部を径方向に案内する傾斜壁が、凸部の周方向の移動規制部を兼ねているため、凸部の移動軌跡としての案内路を、係止部を避けた経路として形成する必要が無く、その分案内路の周方向の幅を狭くすることが出来るので、出没式筆記具の軸を細くすることができ、外観デザインの自由度が高い出没式筆記具を提供することができるものである。
【０００９】
また、案内路における、凸部がペン先没入係止部からペン先突出係止部に至る道のりの最前進位置を形成する壁部よりも、凸部がペン先突出係止部からペン先没入係止部に至る道のりの最前進位置を形成する壁部が後方に配置することによって、凸部を、ペン先没入係止部からペン先突出係止部に移動させる際よりも、ペン先突出係止部からペン先没入係止部に移動させる際の方が、短い操作ストロークにて係止解除可能なため、ペン先の没入操作を容易に行うことができ、ペン先を外装体内に収納し損ねるといった誤作動が起こりにくいものとなる。
【図面の簡単な説明】
【００１０】
【図１】本実施例の全体を示す縦断面図
【図２】外装体１の先端部の縦断面斜視図
【図３】外装体１の先端部の縦断面正面図
【図４】外装体１の後部拡大斜視図
【図５】外装体１の後部拡大正面図
【図６】筆記具本体２の斜視図
【図７】筆記具本体２の縦断面正面図
【図８】ペン先３の正面図
【図９】ペン先ホルダー１５の縦断面正面図
【図１０】筆記具本体２の先端部分の斜視図
【図１１】筆記具本体２の後方部分の斜視図
【図１２】操作部材８の正面図
【図１３】操作部材８の縦断面正面図
【図１４】操作部材８のインキ吸蔵体１４を挿入する方向である前方から見た図
【図１５】蓋体９の斜視図
【図１６】蓋体９の側面図
【図１７】蓋体９の内側を示す断面正面図
【図１８】環状部材１３の斜視図
【図１９】環状弾性体１２の縦断面斜視図
【図２０】クリップ４の斜視図
【図２１】クリップ４の下方から見た図
【図２２】基部５の斜視図
【図２３】基部５の側面図
【図２４】基部５の縦断面図
【図２５】基部５の下方から見た図
【図２６】回転子７の斜視図
【図２７】回転子７の上方から見た図
【図２８】本筆記具の各部品を展開した斜視図
【図２９】基部５を外装体１に嵌め込む様子を示す、基部５の前方係合突起５ａ及び後方係合突起５ｂの縦断面正面図
【図３０】基部を外装体１に嵌め込む様子を示す、基部５の中心からカットした縦断面図
【図３１】外装体１に基部５を配設し後方から見た正面図
【図３２】蓋体９の回転と筆記具本体２の前進動作を説明する本筆記具の前方縦断面正面図
【図３３】蓋体９の回転と筆記具本体２の前進動作を説明する本筆記具の外装体１及び環状弾性体１０の前方縦断面正面図
【図３４】図３２の段階（１）前方拡大正面図
【図３５】図３２の段階（２）前方拡大正面図
【図３６】図３２の段階（３）前方拡大正面図
【図３７】図３２の段階（４）前方拡大正面図
【図３８】図３２の段階（５）前方拡大正面図
【図３９】図３２の段階（６）前方拡大正面図
【図４０】本筆記具の案内路を示し、上方から見た正面図
【図４１】図４０の部分拡大正面図
【図４２】回転子７の凸部７ａが前進する様子を示す図
【図４３】回転子７の凸部７ａが第１の傾斜壁４ｄに案内される様子を示す図
【図４４】回転子７の凸部７ａが第２の傾斜壁１ｏに案内された後を示す図
【図４５】回転子７の凸部７ａがペン先突出係止部１ｐに係合した様子を示す図
【図４６】回転子７の凸部７ａがペン先突出係止部１ｐから前進し、第３の傾斜壁４ｅに案内されている様子を示す図
【図４７】回転子７の凸部７ａが第３の傾斜壁４ｅに案内された後を示す図
【図４８】回転子７の凸部７ａが図４７の状態から後退し、第４の傾斜壁１ｑに案内されている様子を示す図
【発明を実施するための形態】
【００１１】
本発明の出没式筆記具は、先端に開口部を有する外装体内に、筆記具本体を前後動可能に収容し、筆記具本体が先端に有するペン先を外装体の先端開口部より出没可能にしたものである。
【００１２】
外装体は、１部品又は前軸と後軸などの２部品以上の部材を組み立てたものとすることができ、筆記具本体を交換式とすることもできる。外装体の先端開口部よりのペン先の出没を係止するために、外装体内にコイルスプリング等の弾撥部材を配して、筆記具本体を常時後方付勢するなどして、ペン先突出又は没入の係止状態を維持可能としている。また、筆記具本体の出没係止状態とする操作は、後端部にノック冠を配置したり側部に操作片を配置するなど、従来の出没式筆記具にて知られた構造を適宜採用できる。
【００１３】
筆記具本体は、先端にペン先を備え、側部に前述の出没係止のための凸部を有している。ペン先は、ボールペンチップ、繊維収束体、ウレタンなどの多孔質体、連通孔を有する合成樹脂など、内蔵するインキを挿通させるペンリフィルのタイプのものや、自己摩耗により筆跡を形成する鉛筆芯を繰り出すシャープペンシルなど、適宜使用可能である。また、筆記具本体を構成する部材は、合成樹脂の射出成型品としたり、金属材料の組成変形品としたり、それらを組み合わせたものなど適宜採用できる。
筆記具本体を、インキを収容したペンリフィルのタイプのものとする場合、内蔵するインキは、繊維収束体などに含浸させても、インキタンク内に自由状態で収容してもよいし、パイプ内に直接的に収容したインキの後端に、インキの減量に伴い移動するインキ界面に接触して追従する高粘度流体などのインキフォロワーを配置したものでも良い。収容されるインキは、水を主媒体とする水性インキでも、有機溶剤を主媒体とする油性インキでもよく、着色成分としては染料、顔料、染料と顔料との両方を使用することもできる。また、多糖類や樹脂成分を溶解させたり、微粒子を分散させるなどして、インキの粘度や剪断減粘性などのレオロジー特性を調整したインキとすることもできる。また、インキのほかに、液状の化粧料などを収容することもできる。
【００１４】
筆記具本体の側部に形成する、ペン先出没係止のための凸部は、筆記具本体の側部を構成する部品と一体に設けたり、凸部を有する別部材を組み立て配置するなどが適宜選択できる。
【００１５】
外装体には、筆記具本体の前後動操作に伴って、筆記具本体の有する凸部が移動する案内路が形成されており、この案内路内は、凸部が係止することによって、ペン先の外装体先端の開口部よりの突出状態を形成するペン先突出係止部と没入状態とを形成するペン先没入係止部を有している。いずれの係止も、前述したコイルスプリングによる付勢によって案内路の壁に押し付けられた状態で係止されるものとすることができるが、凹凸乗り越えなどによる着脱可能な嵌合係止構造であっても良い。
【００１６】
案内路は、例えば外装体の軸筒部分に設けた孔や溝、クリップなどの外側に突出配置された外装体一部に形成した孔や溝であって良い。いずれにしても筆記具本体側部の凸部が摺接して移動できるガイドとなれば良い。前述したコイルスプリング等の弾撥部材によって筆記具本体を後方付勢した場合には、案内路の後方に配置されるペン先没入系止部に弾撥部材に押し付けられる状態で係止され、弾撥部材に抗して筆記具本体を前進操作させた際に、筆記具本体の凸部が前側に配置されているペン先突出係止部に摺動案内され、弾撥部材の後方付勢力によってペン先の突出状態に係止される。
【００１７】
このペン先突出状態とペン先没入状態のそれぞれを係止した状態とするためには、各係止部には弾撥部材の付勢力や凹凸嵌合の嵌合力を受けて凸部を係止接触する部分としての壁部分が必要となり、少なくとも前側に位置するペン先突出係止部の当該壁部分を迂回する経路が必要となる。この迂回経路に案内するために、案内路内には、前記凸部を、外装体の周方向に案内する周方向案内傾斜壁と、前記凸部を、外装体の径方向に案内する径方向案内傾斜壁とを形成する。本願発明の出没式筆記具では特に、径方向案内傾斜壁の側壁を、凸部が係止接触する部分としての壁部分であり凸部の周方向の移動を規制するための移動規制部としている。これにより、凸部を径方向に案内する傾斜壁が、周方向に案内する傾斜壁によって、周方向に移動する凸部の周方向の移動規制部を兼ねているため、その分案内路の周方向の幅を狭くすることが出来るので、出没式筆記具の軸を細くすることが出来る。
【００１８】
また、案内路において、筆記具本体の凸部が、ペン先没入係止部からペン先突出係止部に至る道のりである往路と、ペン先突出係止部からペン先没入係止部に至る道のりである復路において、それぞれの最前進位置を形成する壁部を異ならせることによって、往路と復路での操作ストロークを異なるものとすることができるが、本発明においては、凸部の移動規制部が径方向案内傾斜壁の側壁を兼ねて、周方向の移動幅を狭く設定するので、往路と復路のそれぞれの最先端位置に凸部を案内する周方向案内傾斜壁を、外装体の径方向に積層されたように形成することによって、案内路の幅が極小となるようにできる。
【実施例】
【００１９】
本発明の実施例を説明する。本実施例において、筆記具のペン先方向を前方、その反対を後方、そして筆記具の長手方向の軸線から筆記具の外側壁に配設されたクリップに向かう方向を上方、その反対側の軸線に向かう方向を下方とし、筆記具の軸線とクリップを結ぶ線及び軸線との垂線方向を横方として説明する。
【００２０】
図１に示すように、外装体１の内部には、ペン先３を先端に備えた筆記具本体２を前後動可能に収容している。外装体１の先端には、ペン先３の突出口としての先端開口部１ａが設けてあり、後端には、筆記具本体２を前後動させるための操作部材８の突出口としての後端開口部１ｂが設けてある。先端開口部１ａの内面には、蓋体９と当接する環状弾性体１０が嵌めこまれて固定されており、その蓋体９が閉じた状態では蓋体９と環状弾性体１０とが周状当接し、外部との通気を遮断している。
【００２１】
外装体１の内部には、後端部を筆記具本体２の肩部２ｃに当接したコイルスプリング１１が配置されており筆記具本体２を後方に付勢している。筆記具本体２の細径部２ａには、環状弾性体１２が嵌められており、コイルスプリング１１の前端部を環状弾性体１２に当接し、環状部材１３を介して蓋体９を前方に付勢している。環状弾性体１２が外装体１の内壁と気密状に摺接することで、ペン先３の存在する空間の後方密閉状態を形成し、蓋体９の外装体１の先端開口部１ａの閉塞によってペン先３の存在する空間を外気と遮断し得る。筆記具本体２には、凸部７ａを有するリングである回転子７が周上を回動可能且つ前後方向に移動規制された状態で配置されている。筆記具本体２の内部には、インキ吸蔵体１４にインキが含浸して収納されている。
【００２２】
外装体１の後方側面には、基部５とコイルスプリング６を介してクリップ４が配置されている。
【００２３】
外装体１の先端部の縦断面斜視図である図２及び外装体１の先端部の縦断面正面図である図３に示すように、先端開口部１ａの後方には、大径部の前方に小径部を有する環状弾性体１０を嵌め込むことができる固定部１Ｇが形成され、その後方には外装体１の内側面から向かい合うように軸受部１ｃが後方に向かって延設されている。軸受部１ｃには、蓋体９の回転軸９ｃの移動を規制するため前方及び上下に壁を設けている。なお、前方の壁（受面１ｄ）の上下に設けられた壁（開口ストッパー１ｈ及び閉塞ストッパー１ｉ）の間の距離は、回転軸９ｃが上下動するための距離が必要である。そのため、軸受部１ｃは上方に長い凹形状となっている。
【００２４】
また、受面１ｄには、外装体１の前方に向かって互いの側面の距離が小さくなるようなテーパと成した開凹部１ｅと閉凹部１ｆが形成されている。そして、開凹部１ｅと閉凹部１ｆとの間には、開凹部１ｅと閉凹部１ｆを結ぶテーパ面を延設し、受け面１ｄよりも後方に伸びた中央突部１ｇが形成されている。なお、その中央突部１ｇの頂部は蓋体９の回転軸９ｃに形成された凹カム部９ｇと当接するため、Ｒ曲面と成している。
【００２５】
開凹部１ｅ、閉凹部１ｆ、及び、中央突部１ｇが、軸受部１ｃに形成された歯に該当する部分（ラック部）である。
【００２６】
このラック部の両端には、蓋体９の開口時及び閉口時の動作の終点を規定する開口ストッパー９ｈと閉塞ストッパー９ｉがそれぞれ当接する、開口ストッパー当接壁１ｈと閉塞ストッパー当接壁１ｉが形成されている。閉塞ストッパー当接壁１ｉは、環状部材１３の側壁部１３ｂと対向するように、開口ストッパー当接壁１ｈよりも後方に長く形成されている。
【００２７】
開凹部１ｅは、蓋体９が開口状態にある時、蓋体９の回転軸９ｃに形成された開カム突起９ｆが開凹部１ｅの底部と当接し、また閉凹部１ｆは、蓋体９が閉塞状態にある時、蓋体９の閉カム突起９ｄの底部が当接し、蓋体９の前方への規制をしている。軸受部１ｃの後方は壁のない解放された部分となっているが、外装体１に蓋体９を配置する際に、蓋体９が後方より挿入配置を容易にするためである。なお、蓋体９の後方移動規制は、蓋体９の後方に配置する環状部材１３の接触面１３ｃにて行う。
【００２８】
外装体１の後部拡大斜視図である図４及び外装体１の後部拡大正面図である図５に示すように、外装体１の後方外周面には、回転子７の凸部７ａを案内する案内路である窓孔１ｋが形成されている。窓孔１ｋは、筆記具本体２を外装体１の後端開口部１ｂから挿入するときに、後述する回転子７の外周側面に形成した凸部７ａが入り易いように、外装体１の後端開口部１ｂから形成されている。窓孔１ｋは、後方が回転子７の凸部７ａよりも若干幅広く成した幅狭部１ｍ、前方は周方向片側に広い幅広部１ｎとなっている。窓孔１ｋの幅広部１ｎの前方には第２の傾斜壁１ｏが設けてある。第２の傾斜壁１ｏの幅狭部１ｍのある方と反対側の周方向後方には、ペン先３の先端開口部１ａからの突出状態を形成するペン先突出係止部１ｐが形成されている。第２の傾斜壁１ｏは、幅狭部１ｍがある側から、ペン先突出係止部１ｐがある側にかけて前方に傾斜しているため、回転子７の凸部７ａを、周方向に変移案内することができる。窓孔１ｋの幅広部１ｎ後方には、第４の傾斜壁１ｑが形成されている。第４の傾斜壁１ｑは、ペン先突出係止部１ｐのある側から幅狭部１ｍのある側にかけて後方に傾斜しているため、回転子７の凸部７ａを、周方向に変移案内することができる。
【００２９】
また、外装体１の窓孔１ｋの幅狭部１ｍの後方には、幅狭部１ｍの幅をさらに小さくした突部１ｒが対向するように形成されている。この突部１ｒは、段部１ｓと、後方の側面が前方に向かうに連れて窓孔の幅を狭くした傾斜面１ｔとから成る略台形形状となっており、外装体１の後端開口部１ｂから挿入される回転子７の凸部７ａが通過し易く、さらに、コイルスプリング１０によって後方に付勢された筆記具本体２の後方への移動を規制する役割をしている。また、この突部１ｒは、クリップ４を組み立てる際の仮抑えで、筆記具使用時はこの突部１ｒが破損しても、後述するクリップ４の基端部４ａに設けた突部４ｇがすぐ後ろに挿入され、ペン先没入係止部１ｕとなり、筆記具本体２の後方への付勢を抑えることができる。
【００３０】
この窓孔１ｋ内において、ペン先突出係止部１ｐと、ペン先没入係止部１ｕとを有する案内路１ｖが形成される。
突部１ｒよりも後方の外周面には、外装体１の後端開口部１ｂから前方に向かって基部５を取り付けるための基部取付部１ｗが形成されている。
このように外装体１は、前方に外部との通気を遮断した状態でペン先３を収納する密閉部と後方に、クリップ４を取り付けるための基部が取り付けられる基部取付部１ｗ、及び基部取付部１ｗの前方に形成した案内路１ｖにより構成されている。本発明においては、外装体１は一部品で構成しているが、成形性や組立性に応じて複数の部品をネジ螺合や凹凸部による嵌合圧入で一体とした外装体１としても良い。
【００３１】
基部取付部１ｗは、窓孔１ｋにより断面が略Ｃ字状に成した外周面の両縁部を橋渡しするように形成した橋渡し部１Ａと、その両側に形成し橋渡し部１Ａの天面よりも一段下がった平面を持った係合部１Ｂとにより構成されている。このように形成することで、外装体１の後端開口部１ｂから形成した窓孔１ｋにより断面が略Ｃ状に成した外装体１後方の変形を抑えることができる。
【００３２】
また、基部取付部１ｗには、係合孔（前方係合孔１Ｃ、後方係合孔１Ｄ）が、係合部１Ｂ内に形成されている。
【００３３】
基部取付部１ｗの両側面には、基部５との接続部分を横から見えないようにする目隠し壁１Ｅが形成されている。
【００３４】
また、外装体１の外周面には基部取付部１ｗの前端部から窓孔１ｋに沿って、前方に向かった保護壁１Ｆが形成されている。没入状態において外装体１の外周面から突出した回転子７の凸部７ａを保護する役割となっている。さらに保護壁１Ｆの前方端面は前方に向かって漸次高さが低くなるよう傾斜となっており、非使用時にクリップに紙などを挟んだ際に引っ掛かることなく案内することができる。
【００３５】
筆記具本体２は、気体透過が少なく、成形性の良いポリプロピレンを使用し、先端にペン先３を有し、内部にインキ吸蔵体１４を備えている。
【００３６】
筆記具本体２の斜視図である図６と、筆記具本体２の縦断面正面図である図７に示すように、筆記具本体２は前後端に開口部を有した貫通穴を備えている。
【００３７】
筆記具本体２の外形は、細径部２ａと太径部２ｂとその間の肩部２ｃとが形成されており、細径部２ａは先端より突出したペン先３を主に収容し、太径部２ｂはインキ吸蔵体１４を収容している。
【００３８】
ペン先３の正面図である図９に示すペン先３は、筆記部３ａと筆記部３ａよりも細径のインキ吸蔵体１４と接続する接続部３ｂからなっている。ペン先３は筆記部３ａが後述するペン先ホルダー１５に圧入固定され、ペン先ホルダー１５の先端から露出した部分で筆記できるようになっている。
【００３９】
ペン先３の接続部３ｂは、後方の一部から後端に向かい先細となるテーパ部３ｄが形成されており、そのテーパ部３ｄの一部又はストレート部に至るまでインキ吸蔵体１４の先端に埋没状に接続され、インキが連通するようなしてある。接続部３ｂにテーパ部３ｄを設けることにより、インキ吸蔵体１４に接続し易くなる。インキ吸蔵体１４に接続部３ｂが挿入されていることによりインキ吸蔵体１４を内側から押圧し、インキ吸蔵体１４の押圧部分の繊維密度が徐々に高くなることで、インキ吸蔵体１４中に含浸したインキが、毛管力により、繊維密度の高い方へ移動し易くなり、ペン先３へのインキ供給が確実なものとなる。
【００４０】
ペン先ホルダー１５は、ペン先ホルダー１５の縦断面正面図である図９に示すように、筒状体で前方にペン先３を圧入固定する圧入固定部１５ａが形成され、ペン先３の筆記部３ａと接続部３ｂとの間に形成した段部１５ｃと圧入固定部１５ａの段部１５ｂが当接するまで挿入されている。ペン先ホルダー１５は筆記具本体２の細径部２ａ内部に圧入固定されている。そのペン先ホルダー１５は成形部品であり、材質としてポリプロピレンを使用している為、筆記具本体２内部にペン先ホルダー１５を圧入固定しようとすると筆記具本体２の細径部２ａが拡径する。その為、ペン先ホルダー１５の外径と筆記具本体２の細径部２ａの内側面に形成した保持リブ２ｄの内接径はゆるい圧入関係となっている。しかし、ペン先ホルダー１５の筆記具本体２からの抜け強度を保つ為に、ペン先ホルダー１５の中間部には、溝部１５ｃが設けられており、その溝部１５ｃに、筆記具本体２の保持リブ２ｄの後方に形成したＣ形状のペン先押さえ凸部２ｅが引っかかっている。これにより、ペン先ホルダー１５の筆記具本体２からの脱落が防止されている。
【００４１】
筆記具本体２の大径部２ｂのインキ吸蔵体１４を収容する内側壁にはリブ２ｆが形成され、インキ吸蔵体１４が挿入される際の案内をしている。
【００４２】
また、太径部２ｂの外周面の前方には突起２ｌと反対の側面にブレ防止リブ２ｒが形成され、筆記具本体２が外装体１内で前後動する際の径方向へのブレを防止している。
【００４３】
さらに、筆記具本体２の太径部２ｂの後方内側面には、後述する操作部材８と螺合するための雌ネジ部２ｓと、その前方に内部空間を液密状態にするために凸部２ｔが周状に形成されている。
【００４４】
筆記具本体２の先端部分の斜視図である図１０に示すように、筆記具本体２の前端面には、蓋体９の内側カム部９ｊと衝接して蓋体９に回転力を与える凹曲面２ｇが設けられている。筆記具本体２の凹曲面２ｇは第１、第２の二つ曲率半径を有する凹曲面となっており、筆記具本体２の後方から前方に向かって、第１曲面の曲率半径が第２曲面の曲率半径よりも大きい曲面で、かつ、二つの曲面の間は極力角とならない様になだらかにつながっている。蓋体９の内側カム部９ｊは凹曲面２ｇ上を、第２曲面から第１曲面へと移動する。また、凹曲面２ｇの一部には、面取り部２ｈが形成されている。これは、蓋体９が回転し、内側カム部９ｊが筆記具本体２の凹曲面２ｇからの離脱をスムーズにするために設けている。これにより、内側カム部９ｊ及び凹曲面２ｇの角部の摩耗を低減することができ、繰り返しの使用でも動作不良無く、長く使用することができる。
【００４５】
筆記具本体２の細径部２ａの内側面とペン先ホルダー１５の外側面の間には、筆記具本体２の内部と外部を気体通行可能に筆記具本体２に空気溝２ｋが設けられている。
【００４６】
筆記具本体２の後方部分の斜視図である図１１に示すように、筆記具本体２の太径部２ｂの後方外周面には、突起２ｌが上方に向かって形成され、外装体１の側部に設けられた窓孔１ｋを通じて外装体１の外に突出している。この突起２ｌは、後方に付勢された筆記具本体２がペン先３没入状態を維持するためにペン先没入係止部１ｕと係止している。
【００４７】
突起２ｌの前方には、後述する断面形状がＣ字状の回転子７を回動自在に配置するための凹部２ｍが形成されている。凹部２ｍは、断面が回転子７の断面形状に合わせ、Ｃ字状に形成されていて、回転子７が回転する範囲で干渉しないようになっている。
【００４８】
また、凹部２ｍは、前方が周方向に足の短いＣ字状部２ｎと、後方が周方向に足の長いＣ字状部２ｏとなっている。
【００４９】
操作部材８の正面図である図１２に示すように、操作部材８の後方には外装体１の後端開口部１ｂから露出し、筆記具本体２を押圧するためのノック部８ａと前方に挿入部８ｂが形成され、その挿入部８ｂは筆記具本体２の太径部２ｂの内向に挿入状態で液密に螺合し、操作部材８の内部空間にまでインキ吸蔵体１４が介在するようになしてある。操作部材８の挿入部８ｂの外周面に形成した雄ネジ部８ｃと筆記具本体２の雌ネジ部２ｓとの螺合は１条ネジにて構成されているが、多条ネジとしても良い。また、筆記具本体２と操作部材８が液密に着脱が可能であれば乗り越えリブとして嵌合させる構成とすることもできる。さらに、操作部材８と筆記具本体２を挿入状態で液密にするために、操作部材８の雄ネジ部８ｃの前方に筆記具本体２の凸部２ｔと嵌合する凹形状の当接部８ｄを設けているが、前記当接部８ｄは凸形状や平面とすることも可能である。当接部８ｄを凹形状とすることで、筆記具本体２に形成した雌ネジ部２ｓに接触して当接部８ｄの表面に傷などを付けることなく操作部材８を挿入することができる。
【００５０】
操作部材８の縦断面正面図である図１３及び操作部材８のインキ吸蔵体１４を挿入する方向である前方から見た図である図１４に示すように、操作部材８の内壁の底部と内側壁には、複数のリブ８ｅが形成され、特に内側壁のリブ８ｅは長手方向に延在しており、操作部材８の内部とインキ吸蔵体１４との間に筆記具本体２の内部空間と連通する通気路を形成していると共に、リブ８ｅによってインキ吸蔵体１４が挟持される形となっており、操作部材８を筆記具本体２から取り外す時にインキ吸蔵体１４が筆記具本体２とともに取り外されるようなしてある。一方、筆記具本体２の複数のリブ２ｆは、インキ吸蔵体１４を挿入する際の案内の役割でリブ２ｆの内接円径はインキ吸蔵体１４の外径よりも大きく設定しており、収容時には筆記具本体２の複数のリブ２ｆには保持されない。インキ吸蔵体１４は前端部から接続されたペン先３の接続部３ｂと操作部材８の複数のリブ８ｅにより保持されているのである。このようにすることによって、インキ吸蔵体１４中に含浸するインキが消費されて少なくなったりインキがなくなったりした際に、操作部材８と共にインキ吸蔵体１４を抜き出し、再度インキを含浸させたり、インキ吸蔵体１４ごと交換するなどとすることができるものである。操作部材８の内側壁の複数のリブ８ｅは、横断面が板状で内接円径及びインキ吸蔵体１４と接触する頂部面幅が一定となっている。その複数のリブ８ｅの前方端部は、前方に向かうに連れ操作部材８の内側面に潜り込むようなテーパ部８ｆが形成されている。テーパ部８ｆは、インキ吸蔵体１４を操作部材８に挿入する際の案内となっており、インキ吸蔵体１４を引っ掛かり無く操作部材８内に収容することができる。
【００５１】
複数のリブ８ｅの後方には、内接円径を小さくした受けリブ８ｇが操作部材８の内壁の底部から延設している。インキ吸蔵体１４の端部が受けリブ８ｇと接触することで、インキ吸蔵体１４の挿入完了としている。受けリブ８ｇを設けることにより、インキ吸蔵体１４の端部と操作部材８の内壁の底部との間に空間ができ、複数のリブ８ｅによる通気路としているのである。さらには、衝撃などによりインキ吸蔵体からインキが漏れた時には、インキを保持する役割も担っている。
【００５２】
操作部材８の天面には中心部に凹部８ｈが形成され、さらに凹部８ｈよりも径が大きく深さが浅い段部８ｉが形成されている。
【００５３】
凹部８ｈは、射出成形する際のゲート部となり、離型時に発生するゲート残りが操作部材８の端面よりも突出しないように深い溝となっている。また段部８ｉはシールを貼るための段部で、尾栓５の端面よりも突出しないようになっている。さらにシールを貼ることでゲート跡を隠すことができ外観を向上することもできる。
【００５４】
またインキ吸蔵体１４は、ポリエチレンなどの合成樹脂性フィルムで側壁を覆っており交換時にさわっても手を汚さないようになっている。
【００５５】
蓋体９の斜視図である図１５に示すように、蓋体９は外装体１の先端開口部１ａを塞ぎ得る球状の蓋部９ａと、円柱状の回転軸９ｃを外側に突状態で備える側壁部９ｂとを有している。なお、回転軸９ｃの頂部は、蓋体９が外装体１の内部で回転及び移動した際に外装体１と干渉しないように傾斜のある曲面で形成されている。蓋体９には切り欠き部９ｌが設けてあることによって、蓋体９の向きを視認することができ、組み立て性が向上している。
【００５６】
蓋体９の回転軸９ｃには、側壁部９ｂを図１６の方向（側面）から見た際に、蓋部９ａの方向に向かって突設した閉カム突起９ｄと、その閉カム突起９ｄと９０度の方向で外側カム部９ｅと逆方向に突設した開カム突起９ｆが形成されている。閉カム突起９ｄ及び開カム突起９ｆはそれぞれ回転軸９ｃから遠ざかるに連れて幅が小さくなるように傾斜が形成されている。また、回転軸９ｃの閉カム突起９ｄと開カム突起９ｆとの間には、回転軸９ｃの中心に向かって凹カム部９ｇが形成されている。その凹カム部９ｇは両側面が回転軸９ｃの中心に向かってその幅を狭くする方向にテーパとなっており、外装体１の軸受部１ｃの中央突部１ｇの頂部と接するため、略楕円状の曲面で連接されている。
【００５７】
閉カム突起９ｄ、開カム突起９ｆ、及び、凹カム部９ｇが、前述した回転軸９ｃに部分的に形成された歯車に該当する部分（歯車部）である。
【００５８】
回転軸９ｃにこのような閉カム突起９ｄ、開カム突起９ｆ及び凹カム部９ｇからなる歯車部を形成することにより、回転軸９ｃが転がるように回転及び上下動する動作を近似的に実現させることができる。
【００５９】
回転軸９ｃの歯車部の両端には、角部を形成し、蓋体９の開口時及び閉塞時の動作の終点を規定する開口ストッパー９ｈ、閉塞ストッパー９ｉが形成されている。
【００６０】
開口ストッパー９ｈは蓋体９の開口動作における終点を規制するもので、外装体１の軸受部１ｃに形成した平面の開口ストッパー当接壁１ｈと当接することで蓋体９の開口動作の終点を規定する。一方閉塞ストッパー９ｉは蓋体９の閉塞動作における終点を規制するもので、外装体１の軸受部１ｃに形成した平面の閉塞ストッパー当接壁１ｉと当接し、蓋体９の閉塞動作を規定する。
【００６１】
また、蓋体９の側壁部９ｂの間部分は空間部分となっており、蓋体９が回転及び移動して外装体１の先端開口部１ａを開放した際には、ペン先３及び筆記具本体２が通過できる通路を形成するものである。
【００６２】
また、外側カム部９ｅにはカム面９ｋがあり、カム面９ｋにて、コイルスプリング１１による前方付勢力を、環状部材１３を介して受け、蓋体９は回転方向に力を受けている。
【００６３】
蓋体９の内側を示す断面正面図である図１７のように、側壁部９ｂの内側には内方突起である内側カム部９ｊ形成されている。内側カム部９ｊは筆記具本体２の前進によって筆記具本体２と衝接する部分である。
【００６４】
本実施例では、側壁部９ｂ上で、内側カム部９ｊと蓋部９ａとを最も離れた位置に設けている。内側カム部９ｊと蓋部９ａとを極力離れた位置に形成することによって、蓋部９ａと、筆記具本体２と蓋体９の内側カム部９ｊとの接触点とまでの間に広い空間を設けることができ、蓋体９の閉塞状態において、ペン先３の最先端位置から、筆記具本体２と蓋体９の内側カム部９ｊとの接触点までの長手方向の距離を稼ぐことができ、筆記具本体２の先端に長いペン先３を設けることができる。また、内側カム部９ｊから回転軸９ｃまでの距離を長くとることができ、より小さいノック荷重で蓋体９を回転させることが可能となる。
【００６５】
内側カム部９ｊは筆記具本体２より荷重を受け、蓋体９を回転及び移動させる部位であるため、内側カム部９ｊが小さすぎると動作中に破損のおそれがあり、熱可塑性樹脂にて蓋体９を作る場合、内側カム部９ｊの断面積は０．２ｍｍ２以上が好ましい。しかし、内側カム部９ｊを大きくすると、内側カム部９ｊと筆記具本体２との接触点が蓋体９の回転及び移動の中で、蓋体９の回転軸９ｃ側へと移動することとなり、接点の回転中心との距離が短く変化するので、この接触点が移動する距離を極力小さくすることがノック荷重を軽くする点において好ましい。よって、内側カム部９ｊの直径は０．４ｍｍ以上５．０ｍｍ以下とし、接触点の移動距離が３ｍｍ以下となるようにすることが好ましい。
【００６６】
蓋体９は、自己潤滑性があり、摩擦摩耗性が優れているポリアセタールを使用している。
【００６７】
なお、本発明においては、蓋体９の開口動作が回転しながら外装体１の軸線から上方に移動させているため、蓋体９が密接している外装体１の先端開口部１ａの内縁から離れるように回転する。そのため、蓋体９と先端開口部１ａの内縁との摺動抵抗が小さくなり、蓋体９と先端開口部１ａの内縁の磨耗が抑えられ、密閉性が維持できる。よって、蓋体９には耐摩耗性が多少劣る材質であっても適宜選択することができる。その一例としては、気体透過の少ない材料であるポリプロピレンやポリブチレンテレフタレート、ポリエチレン、ポリエチレンテレフタレートを積極的に使用することが出来る。
【００６８】
そして、蓋体９は形状的に、略コの字型をしているため、部品の射出成形時に蓋体９の側壁部９ｂが内側に撓みやすい。この撓みを防止するために、金型の樹脂流入口であるゲートを蓋部９ａの外側中央部分に配置している。また、蓋体９と先端開口部１ａとの接触をより早く実現させるため、蓋部９ａの表面は平面に形成されている。さらに蓋部９ａの表面より突設した頭部９ｍが形成され、この頭部９ｍの頂部にゲートが配置されている。ゲート残りによる蓋体９と先端開口部１ａとが擦れることによる影響を無くすため、ゲート残りとなる部分の周囲に凹部９ｎを形成している。更に、ゲートの径として比較的大きく、成形において、熱可塑性樹脂を流動後の保圧を十分に取ることが出来るようにした方が成形後の撓みが少なくなるため、ゲート径を０．５ｍｍ以上０．８ｍｍ以下とした方が良い。
【００６９】
環状部材１３の斜視図である図１８に示すように、環状部材１３は環状弾性体１２と接続する接続部１３ａと、蓋体９に前方付勢力を付与する側壁部１３ｂを有している。側壁部１３ｂの前端には接触面１３ｃが設けられている。接触面１３ｃ上には突起１３ｄを有している。側壁部１３ｂは後方のコイルスプリング１１の弾発力を、接触面１３ｃを介して蓋体９の外側カム部９ｅに伝え、蓋体９に外装体１の先端開口部１ａを閉塞する方向へと回転力を与えている。
【００７０】
また、接続部１３ａには筆記具本体２の細径部２ａが通行可能な中孔部１３ｅを形成している。
【００７１】
側壁部１３ｂの外側面は平面が形成され、前後方向に段部１３ｆを形成している。この段部１３ｆは、外装体１内に配置した時、後述する外装体１の軸受部１ｃの端部に形成した閉塞ストッパー当接壁１ｉと対向するようになっており、環状部材１３が外装体１内で外装体１の軸線を中心に回転することを防止している。
【００７２】
なお、環状部材１３は蓋体９と摺接し、蓋体９を回転及び上下動させる部材であるため、自己潤滑性があり、摩擦摩耗性が優れているポリアセタールを使用している。
【００７３】
環状弾性体１２の縦断面斜視図である図１９に示すように、環状弾性体１２は、外側に、蓋体９が外装体１の先端開口部１ａを閉塞した状態で、外装体１の内面と気密に接触する外側密閉リブ１２ａと環状弾性体１２が外装体１内を摺動する際に傾きすぎることを防止した外側傾き防止リブ１２ｂとを有しており、また、環状弾性体１２の内側に、筆記具本体２と気密に摺接する内側密閉リブ１２ｃを有している。内側密閉リブ１２ｃは二条リブとなっているが、このリブの間に後述の難揮発性液状物が滞留することで、筆記具本体２との密閉を確実になすと共に、摺動抵抗を低く抑えている。また、外側密閉リブ１２ａと内側密閉リブ１２ｃの形成位置を軸方向前後にずらすことによって、外装体１との接触による外側密閉リブ１２ａの内側への撓みと、筆記具本体２との接触による内側密閉リブ１２ｃの外側への撓みが径方向でぶつかり合うことが無いため、筆記具本体２の移動時及び環状弾性体１２が後方へ移動する際の摺動抵抗を小さくしている。
【００７４】
環状弾性体１２の前端部には、環状部材１３の接続部１３ａと接続するための段部１２ｄが形成されている。また、環状弾性体１２の後方に、コイルスプリング１１を受ける受け溝１２ｅが形成され、この受け溝１２ｅの底面にコイルスプリング１１の前端部が当接している。このように受け溝１２ｅを形成することで、コイルスプリング１１と環状部材１３との距離が近くなり、コイルスプリング１１の付勢力による環状弾性体１２の変形を極力小さくすることができ、環状部材１３に付勢力を伝わり易くしている。
【００７５】
環状弾性体１２と外装体１及び筆記具本体２にて、ペン先密閉空間の後方密閉を行っているが、環状弾性体１２の内側密閉リブ１２ｃは筆記具本体２と摺動しつつ密閉を行い、外側密閉リブ１２ａは外装体１と摺動しつつ密閉を行う。つまり、密閉を行う為に、内側密閉リブ１２ｃの内径（図１９のＡ部）は筆記具本体２の外径（図１０のＢ部）よりも小さく、外側密閉リブ１２ａの外径（図１９のＣ部）は外装体１の内径（図３のＤ部）よりも大きく設定されるが、この各部材間の直径差、つまりＢ−Ａ及びＣ−Ｄ、が大きいと密閉は強固になるが、筆記具本体２の前後動時に負荷となる摩擦の大きさは大きくなる為、摺動は悪くなる。よって、良好なノック感を得る為に、ノック荷重が１ｋｇｆ以下となり、かつ十分な密閉が得られる範囲として、各部材間の直径差が０．１ｍｍ以上０．４ｍｍ以下が好ましく、本実施例では、内側密閉リブ１２ｃと筆記具本体２の直径差を０．３ｍｍとし、外側密閉リブ１２ａと外装体１の直径差を０．２ｍｍとしている。
【００７６】
キャップ内空間を気密に保つ環状弾性体１０と環状弾性体１２の材質としては、ブチルゴム以外、イソブチレンゴム、ブタジエンゴム、スチレン・ブタジエンゴム、二トリルゴム、クロロプレンゴム、ブチルゴム、エチレンプロピレンゴム、クロロスルホン化ポリエチレン、塩素化ポリエチレン、アクリルゴム、シリコンゴム、アクリロニトリルブタジエンゴム、ウレタンゴム、フッ素ゴム、エピクロロヒドリンゴム、多硫化ゴムや、オレフィン系熱可塑性エラストマー、スチレン系熱可塑性エラストマーのゴムやエラストマー等及びこれらの混合物などが選択でき、インキに対する耐薬品性、密閉性に影響する耐ガス透過性に優れている物であれば良いが、ブチルゴムであると耐薬品性、耐ガス透過性ともに優れているので良好な密閉を行うことができる。また、特に、ハロゲン化ブチルゴムは圧縮永久歪みが小さいので、摺動の際の弾性変形を、静止時には元の形状に戻りやすく、良好な密閉と摺動を行うことができるものである。
【００７７】
また、環状弾性体１２を蓋体９に近い位置に配置することによって、ペン先３の収容空間を小さいものとし、収容空間内でのペン先乾燥を極力抑制するものである。特に、細いペン先３の場合には、ペン先３の収容空間の大きさが収容空間内でのペン先乾燥に大きく影響するので、より効果的にペン先乾燥を抑制するものである。
【００７８】
各部材の摺接する部分には、難揮発性液状物を塗布することにより、摺接時の摩擦を抑えることが可能である。難揮発性液状物としては、凝固点が−２２℃以下、沸点が１４５℃以上、粘度が１０ｍＰａ・ｓ以上５００，０００ｍＰａ・ｓ（２０℃）以下のものであれば良く、合成潤滑油、鉱物油、グリセリン、リノール酸、リノレン酸、オレイン酸等の不飽和脂肪酸や各種飽和脂肪酸より構成される大豆油、菜種油、コーン油、紅花油、米油、綿実油、胡麻油、ピーナッツ油、オリーブ油、パーム油等の植物油などが挙げられ、合成潤滑油としては、Α−オレフィン（ポリ−Α−オレフィン）、ポリブテン（ポリイソブチレン）、アルキルベンゼンなどの炭化水素系合成潤滑油、ジエステル（二塩基酸エステル）、ポリオールエステル（ヒンダードエステル）などの脂肪酸エステル系合成潤滑油、シリコーンオイル、ケイ酸エステル、シランなどのシリコーン系合成潤滑油、クロロフルオロカーボン、パーフルオロポリエーテル、フルオロエステルなどのフッ素系合成潤滑油、フェニルエーテル、リン酸エステルなどが挙げられる。これらは、単独もしくは複数を混合して使用することもできる。また、これらをゲル化したものであってもよい。
【００７９】
特に、摺接部を構成する部材に合成樹脂やゴム、エラストマー等が使用されている場合には、インキ等の溶剤に対して化学的に安定で、離型性、非粘着性の性質を持ち、表面張力が低く物質表面で広がりやすい性質を持つポリジメチルシロキサン、ポリメチルハイドロジェンシロキサン、ポリメチルフェニルシロキサン、環状ジメチルシロキサンなどのストレートシリコーンオイルや、側鎖及び又は両末端を有機基により変性させた、アミノ変性、エポキシ変性、カルビノール変性、メルカプト変性、カルボキシル変性、メタクリル変性、ポリエーテル変性、フェノール変性、シラノール変性、アラルキル変性、フロロアルキル変性、長鎖アルキル変性高級脂肪酸エステル変性、高級脂肪酸含有などの変性シリコーンオイルが好適に使用される。また、ポリジメチルシロキサン、ポリメチルハイドロジェンシロキサン、ポリメチルフェニルシロキサン、環状ジメチルシロキサンなどのストレートシリコーンオイルは、温度による粘度変化が少ないので、環境変化等に影響され難いものである。
【００８０】
なお、該部以外でも、液密性を付与したり、摺動抵抗を低減したい部材にこれらの難揮発性液状物を配置することができる。
【００８１】
本実施例においては各部材の摺接する部分には、難揮発性液状物として凝固点が−５０℃以下、沸点が２００℃、粘度が１０，０００ｍＰａ・ｓ（２０℃）であるポリジメチルシロキサンを塗布して介在させており、気密性と摺動の低摩擦係数とを実現している。
【００８２】
クリップ４の斜視図である図２０及びクリップ４の下方から見た図２１に示すクリップ４は、外装体１の窓孔１ｋを覆うように配設される。クリップ４の基端部４ａには、外装体側へ延びるコイルスプリング保持突起４ｃが形成されており、コイルスプリング６に挿入される。コイルスプリング保持突起４ｃには、両側面に突起４ｉと、根元にコイルスプリング圧入部４ｊが形成されている。コイルスプリング圧入部４ｊは、コイルスプリング６の内径よりもやや大きい外径を有しており、コイルスプリング６にコイルスプリング保持突起４ｃが挿入されると、圧入の関係となってコイルスプリング６を保持することができる。また、突起４ｉがあることによって、圧入後のコイルスプリング６が横ブレするのを防ぐことができるものである。さらに、コイルスプリング保持突起４ｃには、外装体１の長手方向にスリット４ｈが設けてある。
【００８３】
基端部４ａには貫通孔４ｇが設けてあり、基部５の突起５ｅが挿入されることで、クリップ４が基部５に取付られ、コイルスプリング６による上方付勢力を受けたクリップ４が、突起５ｅが挿入された貫通孔４ｇを回転軸として反基端部４ｂが外装体１側へ付勢される。ここで、スリット４ｈがあることによって、クリップ４が基部５に取り付けられる際、貫通孔４ｇに突起５ｅを挿入するために、クリップ４の基端部４ａが一時的に横方向に広がりやすくなり、クリップ４の基部５への取り付けを容易なものとしている。
【００８４】
クリップ４の反基端部４ｂには、回転子７の凸部７ａを外装体１の径方向に案内する第１の傾斜壁４ｄが突出している。第１の傾斜壁４ｄの前方には、第２の傾斜壁１ｏが位置する。またペン先突出係止部１ｐの前方の位置であって、第２の傾斜壁１ｏの後方かつ第１の傾斜壁４ｄの前方の位置には、ペン先突出係止部１ｐのある側から、前方に向って傾斜した第３の傾斜壁４ｅが突出している。第３の傾斜壁４ｅは、回転子７の凸部７ａの前側面が衝接することによって、凸部７ａを、第２の傾斜壁１ｏによる周方向への案内と、逆方向の周方向へと案内するので、外装体１に形成した案内路１ｖの周方向の幅を狭くすることができ、外装体１を細身とすることができるものである。さらに、第３の傾斜壁４ｅが第２の傾斜壁１ｏの後方に設けてあるので、回転子７の凸部７ａを、ペン先没入係止部１ｕからペン先突出係止部１ｐへ案内する際より、凸部７ａを前方へ案内することなく、ペン先突出係止部１ｐからペン先没入係止部１ｕへ案内することができるため、ペン先３の没入操作が容易となるものである。
【００８５】
第３の傾斜壁４ｅの途中には、規制壁４ｆが設けてある。規制壁４ｆによって、凸部７ａが第３の傾斜壁４ｅによって周方向に案内され、筆記具本体２の前進操作を解除した後、コイルスプリング１１の後方付勢力によって筆記具本体２が後方に移動する際に、凸部７ａがペン先突出係止部１ｐ側へ移動せず、確実に第４の傾斜壁１ｑへと案内される。
【００８６】
さらに、規制壁４ｆは凸部７ａの頂部と接触し、僅かにクリップを持ち上げるように高さを設定している。凸部７ａが規制壁４ｆを通過する際、僅かに持ち上げたクリップが元に戻る衝撃で衝撃音を発し、ノック解除の合図としている。
【００８７】
基部５の斜視図である図２２と、基部５の側面図である図２３、基部５の縦断面図２４及び基部５の下方から見た図２５に示すように、基部５には、基部取付部１ｗの前方係合孔１Ｃと後方係合孔１Ｄに係合するよう、基部５の両側面に沿って下方向に突設した前後の係合突起（前方係合突起５ａ、後方係合突起５ｂ）が形成されている。後方係合突起５ｂには、周方向に向いた爪部５ｄが形成され、前方係合突起５ａには、前方に向かって爪部５ｃが形成されている。
【００８８】
基部５の下方面の中央前方には、外装体１の窓孔１ｋの幅狭部１ｍに入り込むよう下方向に突設した突部５ｆを形成しており、外装体１の窓孔１ｋの幅狭部１ｍの両側縁部と囲むようにして、ペン先没入係止部１ｕとしての役割となっている。
【００８９】
更に、基部５の下方面中に当接面５ｇを形成し、外装体１の基部取付部１ｗの橋渡し部１Ａが当接することで、基部５と外装体１の取り付け完了としている。突部５ｆ及び後方係合突起５ｂの後方には傾斜段部５ｈ、傾斜段部５ｉがそれぞれ形成されている。この傾斜段部５ｈ、傾斜段部５ｉがあることで、基部５を外装体１に取り付ける際に、前方係合突起５ａの爪部５ｃが引っ掛かりなく前方係合孔１Ｃ内に挿入することができ、セットし易くしている。
【００９０】
回転子７の斜視図である図２６及び回転子７の上方から見た図である図２７に示すように、回転子７は、筆記具本体２の凹部２ｍの断面と同じようにＣ字状部７ｂを有し、その両端部から幅の狭い延長部７ｃが形成されている。これは、回転子７を筆記具本体２の凹部２ｍに前後逆方向に組み付けた時、回転子７の幅の短い延長部７ｃが筆記具本体２の凹部２ｍの足の短いＣ字状部２ｎ及び足の長いＣ字状部２ｏと干渉することで、誤った組み付けを防止する役割をしている。
【００９１】
回転子７の外側面には、外装体１の窓孔１ｋに挿入され各傾斜壁に案内されるための凸部７ａが、外装体１の側部に設けられた窓孔１ｋを通じて外装体１の外に突出している。
【００９２】
凸部７ａの横断面は前後に延びた長方形で前方両角部に４５°のテーパ面を設け、後方に後方傾斜面７ｄを設けているが、この形状の限りではなく設けなくともよい。外装体１の窓孔１ｋ内に形成した案内路を通過することができ、さらにペン先突出係止部１ｐに係止され、ペン先突出状態を保つことができればよい。
【００９３】
次に、本筆記具の各部品を展開した斜視図である図２８に示し、外装体１に各部品を組み立てる方法を説明する。
【００９４】
まず、外装体１に環状弾性体１０を外装体１の後端開口部１ｂから挿入し、外装体１の先端開口部１ａの後方に成形した固定部１Ｇに圧入固定する。続いて蓋体９、環状部材１３、環状弾性体１２及びコイルスプリング１１を順に外装体１の後端開口部１ｂから挿入する。
【００９５】
次に、ペン先３、ペン先ホルダー１５及びインキを充填したインキ吸蔵体１４、操作部材８を筆記具本体２に組み付け、筆記具本体２の後方外側部に形成した凹部２ｍに回転子７をセットした筆記具本体２を外装体１の後端開口部１ｂから挿入し、筆記具本体２の突起２ｌが外装体１の突部１ｒを乗り越え、仮係合させることでコイルスプリング１１により後方に付勢された筆記具本体２を外装体１内に収容することができる。
【００９６】
この状態において、ペン先３が存在する空間を外気と遮断する密閉空間ができる。
【００９７】
最後にクリップ４をコイルスプリング６及び基部５を介して外装体１の基部取付部１ｗに上方から押圧し嵌め込む。この時の様子を、基部５の前方係合突起５ａ及び後方係合突起５ｂの縦断面正面図を示した図２９と、基部５の中心からカットした縦断面図を示した図３０により説明する。図２９及び図３０の（１）は基部５を外装体１に組み付ける前の図で（２）は組み付ける途中、（３）は組み付け完了した状態を示し、図２９、図３０とではそれぞれ同じ瞬間を示している。
【００９８】
図２９及び図３０の（１）の状態から基部５を下方へ移動させると、基部５の突部５ｆが外装体１の橋渡し部１Ａの前端面に当接し、続いて前方係合突起５ａ及び後方係合突起５ｂが外装体１の前方係合孔１Ｃ及び後方係合孔１Ｄにそれぞれ入り込んでいく。突部５ｆ及び後方係合突起５ｂには傾斜段部５ｈ、傾斜段部５ｉが形成されているため、前方係合突起５ａに形成した爪部５ｃは前方係合孔１Ｃに引っ掛かることなく挿入することができる。
【００９９】
図２９及び図３０の（２）まで押し込むと、傾斜段部５ｈ、傾斜段部５ｉにより、基部５が前方に移動しつつ入り込む。このとき前方係合突起５ａは爪部５ｃにより後方に押され、変形しながら入り込むが、図２９及び図３０の（３）の状態まで一気に押し込むため、前方係合突起５ａの変形を最小限にすることができる。
【０１００】
また、外装体１に基部５を配設し後方から見た正面図で図３１に示すように、外装体１に配設された基部５は、当接面５ｇとクリップ取付部１ｗの橋渡し部１Ａが当接し、前方係合突起５ａ及び後方係合突起５ｂと、１Ｃ及び１Ｄの係合により外装体１に対して固定される状態において、基部５とクリップ取付部１ｗの係合部１Ｂとの間に若干の隙間Ｆを設けている。このように隙間Ｆを設けることで基部５を外装体１に取り付ける際、基部５の両側面の下方向への撓み代とすることができ、基部５をより確実にクリップ取付部１ｗに取り付けることができる。
【０１０１】
図３２及び図３３に、筆記具本体２が前進するに伴い蓋体９が回転及び上方へ移動し、外装体１の先端開口部１ａを開口して、ペン先３及び筆記具本体２が先端開口部１ａより突出する様子を示す。なお、説明の都合上、図３２は縦断面正面図とし、ペン先３を未表示とし、図３３は外装体１及び環状弾性体９を縦断面正面図として示している。なお、図３２と図３３の各段階（１）〜（６）は同じ瞬間を示している。
【０１０２】
また、図３４〜図３９はそれぞれ、図３２の段階（１）〜（６）の前方拡大正面図であり、蓋体９の回転軸９ｃの回転及び上方方向への移動の様子を詳細に示している。
【０１０３】
また、蓋体９の背面に隠れて本来は見えない外装体１の軸受部１ｃは、説明の都合上、破線で記載している。
【０１０４】
筆記具本体２の前進によって筆記具本体２の凹曲面２ｇと蓋体９の内側カム部９ｊが衝接し、蓋体９を軸受部１ｃの上方に長い凹形状に沿って上方に移動させようとする。このとき、回転軸９ｃの閉カム突起９ｄが軸受部１ｃの閉凹部１ｆ内に収まっている（段階（１）及び図３４）。そのため、回転軸９ｃが上方向に力を受けると、閉カム突起９ｄが閉凹部１ｆと中央突部１ｇを延設した傾斜面１ｊを押圧する。しかし、閉カム突起９ｄは閉凹部１ｆ又は中央突部１ｇにより上方へ移動することができず、閉カム突起９ｄと傾斜面１ｊの接触部を中心に回転することとなる。これにより、閉カム突起８ｄは曲面のため閉中央突部１ｇ傾斜面１ｊを登るように傾斜面１ｊとの接触部が移動する（段階（２）及び図３５）。
【０１０５】
筆記具本体２が段階（３）及び図３６の状態まで前進すると、回転軸９ｃの閉カム突起９ｄと傾斜面１ｊとの接触が解かれる。そして、軸受部１ｃに形成された中央突部１ｇのＲ曲面状の頂部が回転軸９ｃの凹カム部９ｇに接触することで蓋体８が上方へ移動しながら回転する。
【０１０６】
さらに、筆記具本体２が段階（４）及び図３７の状態まで前進すると、回転軸９ｃの開カム突起９ｆが軸受部１ｃの開凹部１ｅに入り込むように回転軸９ｃが回転及び上方へ移動する。
【０１０７】
段階（５）及び図３８の状態では、回転軸９ｃの開カム突起９ｆが軸受部１ｃの開凹部１ｅに入り込む直前の状態となり、蓋体９の外側カム部９ｅが環状部材１３の接触面１３ｃにより押圧され、接触面１３ｃ上を滑り、環状部材１３を押し上げるように突起１３ｄと接触する。
【０１０８】
蓋体９の内側カム部９ｊと筆記具本体２の凹曲面２ｇが接触しない位置で筆記具本体２のさらなる前進によって、外装体１の先端開口部１ａからペン先３及び筆記具本体２の先端を突出させる（段階（６）及び図３９）。
【０１０９】
蓋体９の外側カム部９ｅが、環状部材１３を押し上げるように１３ｄと接触することにより、筆記具本体２が後退する過程で、蓋体９を閉塞する方向へ回転させることができる。
【０１１０】
本実施例では、回転軸９ｃに形成した突起及び、外装体の軸受部に形成した凹部をそれぞれ２つとして構成しているが、突起及び凹部は２つ以上形成することもできる。突起及び凹部の数を増やすことで、突起及び凹部の接触が次々に変わり、回転と直線の運動動作をよりスムーズに行うことができる。これはいわゆる歯車でいう「ラック＆ピニオン」といわれるものである。
【０１１１】
本実施例では、蓋体８の回転軸８ｃに２つのカムを設け、閉塞及び開口状態において、それぞれのカムが外装体１の軸受部１ｃの凹部に収まる構成であるため、開口及び閉塞動作の開始時、蓋体８に掛る直線の力をより確実に回転及び上下動する力に変えることができ、蓋体８の回転及び移動動作を確実に行うことができる。
【０１１２】
このように回転軸が軸受部に対して転がるように動作させることで、回転軸と軸受部の摩擦抵抗が無くなり、かつ、蓋体８の回転及び移動を容易にすることができる。さらには蓋体８の繰り返しの開閉による回転軸の軸受部に対する摩耗が無いため回転軸の破損が防止でき、耐久性を向上させることができる。また、回転軸が磨耗することで径が細くなり、軸受部に対してがたつきが発生することによる誤動作を防止することができ耐久性を向上することができる。
【０１１３】
次に、本筆記具２の後方操作部にクリップ４の反基端部のみを上方から見た正面図である図４０に示すように、外装体１の窓孔１ｋ部分を拡大した図４１〜図４８に基づき、回転子１３の凸部１３ａが、ペン先３の没入状態を形成する没入位置から、ペン先３が外装体１の前端開口部１ａから突出した状態を形成する突出位置、さらにペン先３が突出した状態から没入状態までの一連の案内路を移動する動作について説明する。
【０１１４】
筆記具本体２の後端部に接続され外装体１の後端開口部１ｂから突出した操作部材８を押圧すると、筆記具本体２が後方への付勢力に対抗して前進する。窓孔１ｋ内の退没位置にある回転子７の凸部７ａは、筆記具本体２の前進により回転子７が前進することで、窓孔１ｋ内を前進する（図４１）。凸部７ａは、前方に位置したクリップ反基端部４ｂの裏面から突出した第１の傾斜壁４ｄに接触し（図４２）、クリップ４の反基端部を径方向外方に押し上げながら前進する。
【０１１５】
凸部７ａは、第３の傾斜壁４ｅの天面に沿って第３の傾斜壁４ｅを通過し、更に前方へ移動する（図４３）。そして、前進した凸部７ａは、外装体１の窓孔１ｋ前端部に形成した第２の傾斜壁１ｏに当接する。さらに筆記具本体２が前進すると、第２の傾斜壁１ｏに沿って移動し、ペン先突出係止部１ｐの前方に案内され、外装体１の幅広部１ｎの側壁と当接し、凸部７ａの前方への移動が規制されることで筆記具本体２の前進動作が完了する（図４４）。この外装体１の幅広部１ｎの側壁との当接による前進動作の完了位置が、本実施例における凸部がペン先没入係止部からペン先突出係止部に至る道のりの最前進位置となる。
【０１１６】
ここで、操作部材８への押圧を解除すると、後方に付勢された筆記具本体２は筆記具本体２の軸線に沿って後退する。このとき、筆記具本体２に伴って回転子７も同時に後退し、ペン先突出係止部１ｐに係止することで、ペン先３が外装体１の先端開口部１ａからの突出状態となり、回転子１３の凸部１３ａの退没位置から突出位置までの動作が完了する（図４５）。
【０１１７】
ペン先３が外装体１の先端開口部１ａからの突出状態から没入状態とするため、外装体１の後端開口部１ｂから突出した操作部材８を押圧すると、前進した筆記具本体２に伴い、回転子７及び回転子７の凸部７ａも前進する。
【０１１８】
凸部７ａの前方には、クリップ４の反基端部４ｂの裏面に形成した第３の傾斜壁４ｅが位置し、凸部７ａが第３の傾斜壁４ｅと当接する（図４６）。さらに凸部７ａが前進すると、第３の傾斜壁４ｅに沿って凸部１３ａが周方向へ移動し、第１の傾斜壁４ｄの側壁と当接すると同時に、凸部７ａの前方への移動が規制されることで筆記具本体２の前進動作が完了する（図４７）。第１の傾斜壁４ｄの側壁との当接による前進動作の完了位置が、本実施例における凸部がペン先突出係止部からペン先没入係止部に至る道のりの最前進位置となる。
本実施例において、第１の傾斜壁４ｄの側壁を周方向に案内する周方向案内傾斜壁（第３の傾斜壁４ｅ）の周方向の移動規制部とし（即ち、第１の傾斜壁４ｄ（径方向案内傾斜壁）の側壁によって、周方向案内傾斜壁（第３の傾斜壁４ｅ）によって案内される凸部７ａの周方向への移動量を規制することとし）、凸部を径方向に案内する径方向案内傾斜壁（第１の傾斜壁４ｄ）が、凸部の周方向の移動規制部を兼ねているため、凸部の移動軌跡としての案内路を、係止部を避けた経路として形成する必要が無く、その分案内路の周方向の幅を狭くすることが出来るので、出没式筆記具の軸を細くすることができ、外観デザインの自由度が高い出没式筆記具を提供することができるものである。さらに、この過程において、凸部７ａの頂部が第３の傾斜壁４ｅの途中に形成した規制壁４ｆと接触、通過する際、僅かに持ち上げたクリップが元に戻る衝撃で衝撃音を発生させる。
【０１１９】
操作部材８への押圧を解除すると、後方に付勢された筆記具本体２は筆記具本体２の軸線に沿って後退する。このとき、筆記具本体２に伴って回転子７も同時に後退し、突起７ａは、第１の傾斜壁４ｄと規制壁４ｆに沿って後退し、外装体に形成した第４の傾斜壁１ｑに当接する（図４８）。そして、凸部７ａは第４の傾斜壁１ｑに沿って、退没位置まで戻る。
【０１２０】
本実施例では、凸部がペン先没入係止部からペン先突出係止部に至る道のりの最前進位置を形成する外装体１の幅広部１ｎの側壁との当接部よりも、凸部がペン先突出係止部からペン先没入係止部に至る道のりの最前進位置を形成する第１の傾斜壁４ｄの側壁との当接部が後方に配置されているので、凸部を、ペン先没入係止部からペン先突出係止部に移動させる際よりも、ペン先突出係止部からペン先没入係止部に移動させる際の方が、短い操作ストロークにて係止解除可能なため、ペン先の没入操作を容易に行うことができ、ペン先を外装体内に収納し損ねるといった誤作動が起こりにくいものとなる。
【０１２１】
本実施例では、第１の傾斜壁４ｄ及び第３の傾斜壁４ｅをクリップ４の反基端部４ｂに形成したが、クリップ４ではなく、外装体１の窓孔１ｋに設け、回転子７の凸部７ａの前進により、上下動可能に形成することもできる。外装体１の窓孔１ｋをクリップ４が覆うように配設することにより、外観から窓孔１ｋを隠すことができ、見栄えが良くなる。
【０１２２】
また、本発明において、ペン先突出係止部１ｐを外装体１の窓孔１ｋの幅狭部１ｍと幅広部１ｎとの間に設けたが、幅広部1ｎの側縁部から後方に向かうに連れ幅狭部の側縁部に向かう傾斜面とし、クリップ反基端部４ｂの裏面からペン先突出係止部１ｐを形成することも可能である。
【０１２３】
この場合、ペン先突出状態において、クリップ４を持ち上げると、クリップ反基端部１４ｂの裏面に形成したペン先突出係止部１ｐに係止されている回転子７の凸部７ａが離脱し、傾斜面に案内されて、退没位置に戻ることが可能となり、いわゆる安全機構と言われる構成とすることができる。
【符号の説明】
【０１２４】
１      外装体
１ａ    先端開口部
１ｂ    体後端開口部
１ｃ    軸受部
１ｄ    受面
１ｅ    開凹部
１ｆ    閉凹部
１ｇ    中央突部
１ｈ    開口ストッパー当接壁
１ｉ    閉塞ストッパー当接壁
１ｊ    傾斜面
１ｋ    窓孔
１ｍ    幅狭部
１ｎ    幅広部
１ｏ    第２の傾斜壁
１ｐ    ペン先突出係止部
１ｑ    第４の傾斜壁
１ｒ    突部
１ｓ    段部
１ｔ    傾斜面
１ｕ    ペン先没入係止部
１ｖ    案内路
１ｗ    基部取付部
１Ａ    橋渡し部
１Ｂ    係合部
１Ｃ    前方係合孔
１Ｄ    後方係合孔
１Ｅ    目隠し壁
１Ｆ    保護壁
１Ｇ    固定部
２      筆記具本体
２ａ    細径部
２ｂ    太径部
２ｃ    肩部
２ｄ    保持リブ
２ｅ    ペン先押さえ凸部
２ｆ    リブ
２ｇ    凹曲面
２ｈ    面取り部
２ｋ    空気溝
２ｌ    突起
２ｍ    凹部
２ｎ    足の短いＣ字状部
２ｏ    足の長いＣ字状部
２ｒ    ブレ防止リブ
２ｓ    雌ネジ部
２ｔ    凸部
３      ペン先
３ａ    筆記部
３ｂ    接続部
３ｃ    段部
３ｄ    テーパ部
４      クリップ
４ａ    基端部
４ｂ    反基端部
４ｃ    コイルスプリング保持突起
４ｄ    第１の傾斜壁
４ｅ    第３の傾斜壁
４ｆ    規制壁
４ｇ    貫通孔
４ｈ    スリット
４ｉ    突起
４ｊ    コイルスプリング圧入部
５      基部
５ａ    前方係合突起
５ｂ    後方係合突起
５ｃ    爪部
５ｄ    爪部
５ｅ    突起
５ｆ    突部
５ｇ    当接面
５ｈ    傾斜段部
５ｉ    傾斜段部
６      コイルスプリング
７      回転子
７ａ    凸部
７ｂ    Ｃ字状部
７ｃ    幅の狭い延長部
７ｄ    後方傾斜面
７ｅ    前端側面
８      操作部材
８ａ    ノック部
８ｂ    挿入部
８ｃ    雄ネジ部
８ｄ    当接部
８ｅ    リブ
８ｆ    テーパ部
８ｇ    受けリブ
８ｈ    凹部
８ｉ    段部
９      蓋体
９ａ    蓋部
９ｂ    側壁部
９ｃ    回転軸
９ｄ    閉カム突起
９ｅ    外側カム部
９ｆ    開カム突起
９ｇ    凹カム部
９ｈ    開口ストッパー
９ｉ    閉塞ストッパー
９ｊ    内側カム部
９ｋ    カム面
９ｌ    切り欠き部
９ｍ    頭部
９ｎ    凹部
１０    環状弾性体
１１    コイルスプリング
１２    環状弾性体
１２ａ  外側密閉リブ
１２ｂ  外側傾き防止リブ
１２ｃ  内側密閉リブ
１２ｄ  段部
１２ｅ  受け溝
１３    環状部材
１３ａ  接続部
１３ｂ  側壁部
１３ｃ  接触面
１３ｄ  突起
１３ｅ  中孔部
１３ｆ  段部
１４    インキ吸蔵体
１５    ペン先ホルダー
１５ａ  圧入固定部
１５ｂ  段部
１５ｃ  溝部
【図１】
2018171921.tif 000003
【図２】
2018171921.tif 000004
【図３】
2018171921.tif 000005
【図４】
2018171921.tif 000006
【図５】
2018171921.tif 000007
【図６】
2018171921.tif 000008
【図７】
2018171921.tif 000009
【図８】
2018171921.tif 000010
【図９】
2018171921.tif 000011
【図１０】
2018171921.tif 000012
【図１１】
2018171921.tif 000013
【図１２】
2018171921.tif 000014
【図１３】
2018171921.tif 000015
【図１４】
2018171921.tif 000016
【図１５】
2018171921.tif 000017
【図１６】
2018171921.tif 000018
【図１７】
2018171921.tif 000019
【図１８】
2018171921.tif 000020
【図１９】
2018171921.tif 000021
【図２０】
2018171921.tif 000022
【図２１】
2018171921.tif 000023
【図２２】
2018171921.tif 000024
【図２３】
2018171921.tif 000025
【図２４】
2018171921.tif 000026
【図２５】
2018171921.tif 000027
【図２６】
2018171921.tif 000028
【図２７】
2018171921.tif 000029
【図２８】
2018171921.tif 000030
【図２９】
2018171921.tif 000031
【図３０】
2018171921.tif 000032
【図３１】
2018171921.tif 000033
【図３２】
2018171921.tif 000034
【図３３】
2018171921.tif 000035
【図３４】
2018171921.tif 000036
【図３５】
2018171921.tif 000037
【図３６】
2018171921.tif 000038
【図３７】
2018171921.tif 000039
【図３８】
2018171921.tif 000040
【図３９】
2018171921.tif 000041
【図４０】
2018171921.tif 000042
【図４１】
2018171921.tif 000043
【図４２】
2018171921.tif 000044
【図４３】
2018171921.tif 000045
【図４４】
2018171921.tif 000046
【図４５】
2018171921.tif 000047
【図４６】
2018171921.tif 000048
【図４７】
2018171921.tif 000049
【図４８】
2018171921.tif 000050